(57)【要約】無線通信システムにおける干渉管理のためのリバースリンクフィードバックを生成し利用するために技術を提供するシステムおよび方法が説明される。チャネル品質および（または）干渉データは端末によってサービングセクタおよび１つまたは複数の隣接するセクタから得ることができ、端末によって正当な範囲にもたらされた干渉を含んでいる干渉ベースヘッドルーム値を計算することができる。その後、干渉ベースヘッドルーム値はサービングセクタに対し電力増幅器（ＰＡ）ヘッドルームフィードバックとともに提供される。該端末から提供されるフィードバックに基づいて、サービングセクタはサービングセクタとの通信で端末による使用に関してリソースを割り当てることができる。さらに、サービングセクタは、サービス品質および（または）他のシステムパラメタに基づいた受信干渉ベース電力値を守るか破棄するかを決定することができる。
2010503338.tif 000002
【特許請求の範囲】
【請求項１】
アクセスポイントとの通信に関して、電力増幅器（ＰＡ）ヘッドルームおよび干渉の合計値を決定すること；および
前記アクセスポイントへ前記合計値を送信すること、を含む無線通信システムにおけるパワー制御のためのフィードバックを提供する方法。
【請求項２】
前記送信することは、パケットのメディアアクセス制御（ＭＡＣ）ヘッダーで前記合計値を送信することを含む請求項１の方法。
【請求項３】
前記送信することは、専用チャンネルで前記合計値を送信することを含む請求項１の方法。
【請求項４】
前記送信することは、チャネル状態情報フィードバックの一部として前記合計値を送信することを含む請求項１の方法。
【請求項５】
前記送信することは、
アクセスポイントおよび１つまたは複数の隣接アクセスポイントから１つまたは複数の干渉情報およびチャネル品質情報を得ること；および
得られた前記情報の少なくとも一部に基づいて前記合計値を決定することを含む請求項１の方法。
【請求項６】
前記得ることは、少なくとも１つまたは複数の前記アクセスポイントおよび該１つまたは複数の隣接するアクセスポイントから送信されたパイロットからフォワードリンクチャネル品質情報を得ることを含む請求項５の方法。
【請求項７】
前記得ることは、少なくとも１つまたは複数の前記アクセスポイントおよび該１つまたは複数の隣接するアクセスポイントから送信されたフィードバックからリバースリンクチャネル品質情報を得ることを含む請求項５の方法。
【請求項８】
前記ＰＡヘッドルームおよび干渉の合計値を決定することは、前記アクセスポイントおよび隣接アクセスポイントの少なくとも１つが経験した干渉の増加目標の少なくとも一部に基づいて前記合計値を決定することを含む請求項１の方法。
【請求項９】
前記ＰＡヘッドルームおよび干渉の合計値を決定することは、前記干渉の増加目標に基づいて、サポート可能な最大送信電力スペクトル密度（ＰＳＤ）を決定することを含む請求項８の方法。
【請求項１０】
前記ＰＡヘッドルームおよび干渉の合計値を決定することは、前記干渉の目標の増加および参照送信ＰＳＤに基づいて、サポート可能な最大帯域幅を決定することを含む請求項８の方法。
【請求項１１】
前記送信することは、前記アクセスポイントへ前記合計値および干渉独立ＰＡヘッドルーム値を送信することを含む請求項１の方法。
【請求項１２】
前記アクセスポイントから一つまたは複数の送信電力および帯域幅の割り当てを受信すること；および
前記割当てに基づいて、前記アクセスポイントとの通信に用いられる送信電力または帯域幅を調整することをさらに含む請求項１の方法。
【請求項１３】
サービングセクタと支配的な干渉セクタの間のチャネル品質の相違に関するデータおよび目標干渉レベルに関するデータを格納するメモリ；および
前記チャネル品質の相違および前記目標干渉レベルの少なくとも一部に基づいて、ＰＡヘッドルームおよび干渉の合計値を計算し、前記合計値の前記サービングセクタへの送信を指示するように構成されたプロセッサとを具備する無線通信装置。
【請求項１４】
前記プロセッサは、さらに、パケットのメディアアクセス制御（ＭＡＣ）ヘッダーで前記合計値の送信を指示するように構成される請求項１３の無線通信装置。
【請求項１５】
前記プロセッサは、さらに、専用チャネルで前記合計値の送信を指示するように構成される請求項１３の無線通信装置。
【請求項１６】
前記プロセッサは、さらに、チャネル状態情報フィードバックの一部として前記合計値の送信を指示するように構成される請求項１３の無線通信装置。
【請求項１７】
前記プロセッサは、さらに、前記目標干渉レベルの少なくとも一部に基づいて、サポート可能な最大送信電力スペクトル密度（ＰＳＤ）を決定するように構成される請求項１３の無線通信装置。
【請求項１８】
前記プロセッサは、さらに、前記目標干渉レベルおよび参照送信ＰＳＤに基づいて、サポート可能な最大帯域幅を決定するように構成される請求項１３の無線通信装置。
【請求項１９】
前記プロセッサは、さらに、干渉独立ＰＡヘッドルーム値を計算し、前記ＰＡヘッドルームの前記サービングセクタへの送信を指令するように構成される請求項１３の無線通信装置。
【請求項２０】
サービング基地局との通信に関して１つまたは複数の干渉ベースのヘッドルームパラメータを計算するための手段；および
前記サービング基地局に対し前記１つまたは複数の干渉ベースのヘッドルームパラメータを前記ＰＡヘッドルームフィードバックとともに伝えるための手段を具備する、無線通信システムにおいてリバースリンクパワー制御を容易化する装置。
【請求項２１】
１つまたは複数の干渉ベースのヘッドルームパラメータを計算するための前記手段は、
ユーザーごとの最大の干渉、および１つまたは複数の前記サービング基地局および隣接基地局への経路損失を得るための手段；および
前記ユーザーごとの最大の干渉および前記経路損失の少なくとも一部に基づいて、前記干渉ベースのヘッドルームパラメータを決定するための手段を具備する請求項２０の装置。
【請求項２２】
ユーザーごとの最大の干渉および経路損失を得るための前記手段は、１つまたは複数の前記サービング基地局および前記隣接基地局から受信したフォワードリンクパイロットの少なくとも一部に基づいて、前記経路損失を得るための手段を具備する請求項２１の装置。
【請求項２３】
ユーザーごとの最大の干渉および経路損失を得るための前記手段は、
１つまたは複数の前記サービング基地局および前記隣接基地局から受信したリーバスリンク経路損失フィードバックの少なくとも一部に基づいて、前記経路損失を得るための手段を具備する請求項２１の装置。
【請求項２４】
１つまたは複数の干渉ベースのヘッドルームパラメータを計算するための前記手段は、パイロット送信電力と合計可能電力の比を計算することを含む請求項２０の装置。
【請求項２５】
１つまたは複数の干渉ベースのヘッドルームパラメータを計算するための前記手段は、参照ＰＳＤに関してサポートされた最大帯域幅についてのＰＡヘッドルームを計算することを含む請求項２０の装置。
【請求項２６】
１つまたは複数の干渉ベースのヘッドルームパラメータを計算するための前記手段は、参照帯域幅を用いてＰＡヘッドルームを計算することを含む請求項２０の装置。
【請求項２７】
コンピュータに、ＰＡヘッドルームパラメータおよび干渉ベースのヘッドルームパラメータを決定させるためのコード；および
コンピュータに、アクセスポイントに対し前記ＰＡヘッドルームパラメータおよび前記干渉ベースのヘッドルームパラメータを伝えさせるためのコードを具備するコンピュータ可読媒体。
【請求項２８】
コンピュータに、前記ＰＡヘッドルームパラメータおよび前記干渉ベースのヘッドルームパラメータを伝えさせるための前記コードは、コンピュータに、前記ＰＡヘッドルームパラメータおよび前記干渉ベースのヘッドルームパラメータを共通送信で伝えさせるためのコードを含む請求項２７のコンピュータ可読媒体。
【請求項２９】
コンピュータに、前記ＰＡヘッドルームパラメータおよび前記干渉ベースのヘッドルームパラメータを伝えさせるための前記コードは、コンピュータに、前記ＰＡヘッドルームパラメータおよび前記干渉ベースのヘッドルームパラメータを個別の送信で伝えさせるためのコードを含む請求項２７のコンピュータ可読媒体。
【請求項３０】
コンピュータに、前記ＰＡヘッドルームパラメータおよび前記干渉ベースのヘッドルームパラメータを伝えさせるための前記コードは、コンピュータに、前記ＰＡヘッドルームパラメータおよび前記干渉ベースのヘッドルームパラメータをパケットのＭＡＣヘッダで伝えさせるためのコードを含む請求項２７のコンピュータ可読媒体。
【請求項３１】
コンピュータに、前記ＰＡヘッドルームパラメータおよび前記干渉ベースのヘッドルームパラメータを伝えさせるための前記コードは、コンピュータに、前記ＰＡヘッドルームパラメータおよび前記干渉ベースのヘッドルームパラメータを専用チャネルで伝えさせるためのコードを含む請求項２７のコンピュータ可読媒体。
【請求項３２】
コンピュータに、前記ＰＡヘッドルームパラメータおよび前記干渉ベースのヘッドルームパラメータを伝えさせるための前記コードは、コンピュータに、前記ＰＡヘッドルームパラメータおよび前記干渉ベースのヘッドルームパラメータをチャネル状態情報フィードバックの一部として伝えさせるためのコードを含む請求項２７のコンピュータ可読媒体。
【請求項３３】
前記アクセスポイントとの通信に用いられる送信電力および帯域幅の１つ以上をコンピュータに受信させるためのコード；および
使用に関して受信された前記送信電力と帯域幅の１つ以上を用いて、コンピュータに、前記アクセスポイントと通信させるためのコードをさらに具備する請求項２７のコンピュータ可読媒体。
【請求項３４】
無線通信システムにおける干渉制御のためのコンピュータ実行可能な命令を実行する集積回路であって、該命令は、
前記無線通信システム内の少なくとも１つのセクタへのユーザーごとの最大干渉および経路損失を得ること；
ユーザーごとの前記最大の干渉および前記経路損失の少なくとも一部に基づいて、ＰＡヘッドルームおよび干渉の合計値を計算すること；および
サービングセクタに前記合計値を送信することを含む集積回路。
【請求項３５】
ユーザーごとの最大の干渉および経路損失を得るための前記命令は、前記無線システムにおける少なくとも１つのセクタから受信したフォワードリンクパイロットの少なくとも一部に基づいて、前記経路損失を得ることを含む請求項３４の前記集積回路。
【請求項３６】
ユーザーごとの最大の干渉および経路損失を得るための前記命令は、前記無線システムにおける少なくとも１つのセクタから受信したリバースリンクパイロットフィードバックの少なくとも一部に基づいて、前記経路損失を得ることを含む請求項３４の前記集積回路。
【請求項３７】
送信のための命令はサービングセクタに合計値および干渉独立したＰＡヘッドルーム値を送信することを含むことを特徴とする請求項３４の前記集積回路。
【請求項３８】
アクセス端末からＰＡヘッドルームおよび干渉の合計値を受信すること；および
前記合計値の少なくとも一部に基づいて、アクセス端末との通信に関して１つまたは複数の送信電力を割り当てることを含む無線通信システムにおけるパワー制御および干渉管理を処理する方法。
【請求項３９】
前記アクセス端末にリバースリンク経路損失フィードバックを送信することをさらに含む請求項３８の方法、
【請求項４０】
前記割り当てることは、割り当てられた送信電力および割り当てられた帯域幅の１つ以上を前記アクセス端末に送信することを含む請求項３８の方法。
【請求項４１】
前記受信は、前記合計値とともに干渉独立ヘッドルーム値を受信することを含み、前記割り当てることは、前記アクセス端末との通信に関連したサービス品質パラメータを分析すること；および
前記干渉独立ヘッドルーム値および前記合計値のうちの１つを前記分析の少なくとも一部に基づいて選択すること；および前記選択された値に基づいて、前記アクセス端末のために１つまたは複数の送信電力を割り当てることを含む請求項３８の方法。
【請求項４２】
端末から受信されたＰＡヘッドルームパラメータおよび干渉ベースのヘッドルームパラメータに関するデータを格納するメモリ；および前記ＰＡヘッドルームパラメータおよび前記干渉ベースのヘッドルームパラメータの少なくとも１つに基づいて、前記端末に送信電力を割り当てるように構成されたプロセッサを具備する無線通信装置。
【請求項４３】
モバイル端末からＰＡヘッドルームフィードバックおよび干渉ベースヘッドルームフィードバックを受信するための手段；および
前記ＰＡヘッドルームフィードバックおよび前記干渉ベースヘッドルームフィードバックの１つ以上に基づいて、通信のために前記モバイル端末にリソースを割り当てるための手段を具備する無線通信システムにおけるリバースリンクパワー制御および干渉管理を容易にする装置。
【請求項４４】
アクセス端末から受信されたＰＡヘッドルームおよび干渉の合計値の少なくとも一部に基づいて、該アクセス端末による利用のために送信ＰＳＤをコンピュータに決定させるためのコード；および
コンピュータに、前記アクセス端末に対し送信ＰＳＤを伝えさせるためのコードを含むコンピュータ可読媒体。
【請求項４５】
無線通信システムにおけるパワー制御および干渉管理のためのコンピュータ実行可能な命令を実行する集積回路であって、該命令は、
リバースリンク上の干渉値によって制限されるＰＡヘッドルーム値を端末から受信すること；
前記ＰＡヘッドルーム値および前記干渉値に基づいて、前記端末による使用のためにリソースの割当てを生成すること；および
フォワードリンク上の前記端末へ前記リソースの割当てを伝えることを含む集積回路。
【請求項４６】
前記リソースの割当てを生成するための命令は、
前記端末との通信品質を分析すること；および
前記ＰＡヘッドルーム値に対する限定として前記干渉値を守るべきかどうか決定すること；および
ＰＡヘッドルーム値および、限定として前記干渉値の制限を守るべきかどうかについての前記決定に基づいて、前記端末による使用のためにリソースの割当てを生成することを含む請求項４５の集積回路。
【発明の詳細な説明】
【関連出願】
【０００１】
本出願は、２００６年９月８日提出の米国仮出願第６０／８４３，０３４号、２００７年８月３１日提出の米国出願第１１／８４８，７５５号の利益を主張し、参照によりそれらの全文がここに組み込まれる。
【技術分野】
【０００２】
本開示は、一般に無線通信に関し、特に、無線通信システムにおける電力および干渉の制御の技術に関する。
【背景技術】
【０００３】
無線通信システムは広く展開して種々の通信サービスを提供している。例えば、音声、映像、パケットデータ、ブロードキャストおよびメッセージサービスが、そのような無線通信システムによって提供される。これらのシステムは、利用可能システムリソースの共有により複数の端末のための通信をサポート可能な多元接続システムとすることができる。そのような多元接続システムの例は符号分割多元接続（ＣＤＭＡ）システム、時分割多元接続（ＴＤＭＡ）システム、周波数分割多元接続（ＦＤＭＡ）システムおよび直交周波数分割多元接続（ＯＦＤＭＡ）システムを含む。
【０００４】
無線多元接続通信システムは、複数の無線端末のための通信を同時にサポートすることができる。そのようなシステムでは、端末はそれぞれフォワードリンクおよびリバースリンク上の送信によって１つまたは複数のセクタと通信することができる。フォワードリンク（つまりダウンリンク）はセクタから端末への通信リンクのことをいう。また、リバースリンク（つまりアップリンク）は端末からセクタへの通信リンクのことをいう。
【０００５】
複数の端末は、時間、周波数および（または）符号領域で互いに直角となるように送信を多重化することにより、リバースリンク上で同時に送信することができる。送信間の完全な直交性が達成されれば、各端末からの送信は、受信セクタでの他の端末からの送信に干渉しない。しかし、チャネル条件、受信機不完全性および他の要因により、異なる端末からの送信の間の完全な直交性が実現されないことがある。その結果、端末は、同じセクタと通信する他の端末に対して若干の干渉を引き起こす。更に、異なるセクタと通信する端末からの送信は、典型的には互いに直角ではないことから、各端末が近傍セクタと通信する端末への干渉を引き起こす場合もある。この干渉は、当該システムにおける各端末の性能の低下をもたらす。従って、当該技術分野においては、無線通信システムにおける干渉の影響を緩和するための有効な技術が必要とされている。
【発明の概要】
【０００６】
下記は開示された実施形態のいくつかの態様の基本的了解事項を提供するために単純化されたかかる実施形態の要約を示す。この要約は予期される全ての実施形態の広範囲な概観ではなく、重要または重大な構成要素を同定することや、かかる実施形態の範囲を線引きすることは意図されていない。その唯一の目的は、後に示されるより詳細な説明の前ぶれとして、開示の実施形態のいくつかの概念を簡素なかたちで示すことにある。
【０００７】
説明された実施形態は、無線通信システムにおける干渉管理のためのリバースリンクフィードバックを生成し、通信し、利用するための提供する技術によって前述の問題を緩和する。特に、無線通信システムにおける端末は、端末は端末によって正当な範囲にもたらされた干渉を含んでいる最大送信電力を決定することができるサービングセクタおよび１つまたは複数の隣接するセクタからチャネル品質および（または）干渉データを得ることができる。その後、この干渉ベース最大送信電力はサービングセクタに電力増幅器（ＰＡ）ヘッドルームフィードバックを備えることができる。その後、提供されるＰＡヘッドルームフィードバックおよび干渉ベース最大送信電力に基づいて、サービングセクタは端末用に送信電力を割り当てることができる。さらにかつまたはまた、サービングセクタは、サービス品質および（または）他のシステムパラメタに基づいた受信干渉ベース電力値を守るか無視することに決めてもよい。
【０００８】
ある態様によれば、ここでは無線通信システムにおけるパワー制御に関してフィードバックを提供する方法が説明される。該方法はアクセスポイントとの通信に関して、組み合わせた電力増幅器（ＰＡ）ヘッドルームおよび干渉値を決定することを含むことができる。更に、この方法はアクセスポイントへ合計値を送信することを含んでもよい。
【０００９】
別の態様はサービングセクタと支配的な干渉セクタの間のチャネル品質の相違に関するデータおよび目標干渉レベルに関するデータを格納するメモリを具備することのできる無線通信装置に関する。この無線通信装置は、前記チャネル品質の相違および前記目標干渉レベルの少なくとも一部に基づいて、ＰＡヘッドルームおよび干渉の合計値を計算し、前記合計値の前記サービングセクタへの送信を指示するように構成されたプロセッサを具備する。
【００１０】
さらなる別の態様は、無線通信システムにおけるリバースリンクパワー制御および干渉管理を容易にする装置に関する。この装置は、サービング基地局との通信に関して１つまたは複数の干渉ベースのヘッドルームパラメータを計算するための手段を含んでもよい。さらにこの装置は、前記サービング基地局に対し前記１つまたは複数の干渉ベースのヘッドルームパラメータを前記ＰＡヘッドルームフィードバックとともに伝えるための手段を含んでもよい。
【００１１】
さらに別の態様は、コンピュータに、ＰＡヘッドルームパラメータおよび干渉ベースのヘッドルームパラメータを決定させるためのコードを含むコンピュータ可読媒体に関する。このコンピュータ可読媒体は、コンピュータに、アクセスポイントに対し前記ＰＡヘッドルームパラメータおよび前記干渉ベースのヘッドルームパラメータを伝えさせるためのコードをさらに含んでもよい。
【００１２】
別の態様によれば、無線通信システムにおける干渉制御のためのコンピュータ実行可能な命令を実行する集積回路が開示される。これら命令は、前記無線通信システム内の少なくとも１つのセクタへのユーザーごとの最大干渉および経路損失を得ることを含んでもよい。さらに、該命令は、ユーザーごとの前記最大の干渉および前記経路損失の少なくとも一部に基づいて、ＰＡヘッドルームおよび干渉の合計値を計算することを含んでもよい。さらに、該命令は、サービングセクタに前記合計値を送信することを含んでもよい。
【００１３】
さらに別の態様によれば、無線通信システムにおけるパワー制御および干渉管理を処理する方法は、ここでは説明される。該方法はアクセス端末からＰＡヘッドルームおよび干渉の合計値を受信することを含むことができる。該方法は、前記合計値の少なくとも一部に基づいて、アクセス端末との通信に関して１つまたは複数の送信電力を割り当てることを含んでもよい。
【００１４】
ここでは説明された別の態様は、端末から受信されたＰＡヘッドルームパラメータおよび干渉ベースのヘッドルームパラメータに関するデータを格納するメモリを含むことができる無線通信装置に関する。更に、無線通信装置は、ＰＡヘッドルームパラメータおよび干渉ベースのヘッドルームパラメータの少なくとも１つに基づいて、該端末用に送信電力を割り当てるように構成されたプロセッサを含むことができる。
【００１５】
さらなる別の態様は、無線通信システムにおけるリバースリンクパワー制御および干渉管理を容易にする装置に関する。この装置は、モバイル端末からＰＡヘッドルームフィードバックおよび干渉ベースヘッドルームフィードバックを受信するための手段をふくんでもよい。さらに、この装置は、前記ＰＡヘッドルームフィードバックおよび前記干渉ベースヘッドルームフィードバックの１つ以上に基づいて、通信のために前記モバイル端末にリソースを割り当てるための手段を含んでもよい。
【００１６】
さらに別の態様は、アクセス端末から受信されたＰＡヘッドルームおよび干渉の合計値の少なくとも一部に基づいて、該アクセス端末による利用のために送信ＰＳＤをコンピュータに決定させるためのコードを含んでもよい。該媒体は、コンピュータに、前記アクセス端末に対し送信ＰＳＤを伝えさせるためのコードを含んでもよい。
【００１７】
ここで説明されたさらなる態様は、無線通信システムにおけるパワー制御および干渉管理のためのコンピュータ実行可能命令を実行することができる集積回路に関する。これらの命令は端末（リバースリンク上の干渉値によって制限のあるＰＡヘッドルーム値）からＰＡヘッドルーム値を受信することを含むことができる。その命令はＰＡヘッドルーム値および干渉値に基づいた端末による使用に関してリソースの割当てを生成することをさらに含むことができる。更に、その命令はフォワードリンク上の端末へリソースの割当てを伝えることを含むことができる。
【００１８】
上述の関連する目的を達成するために、１つまたは複数の実施形態は、以下で十分に記載され、特許請求の範囲において特に指摘された特徴を具備する。以下の明細書および添付の図面は、開示された実施形態の例示の態様を詳細に説明している。これらの態様は、実施形態の原理を採用できるさまざまな方法をいくつか示しているに過ぎない。また開示された実施形態は、かかる態様およびその等価物のすべてを含むことが意図されている。
【図面の簡単な説明】
【００１９】
【図１】図１は、ここに述べられた種々の態様に従って無線多元接続通信システムを示す。
【図２】図２は、種々の態様に従い無線通信システムにおけるリバースリンクパワー制御および干渉管理を統合するシステムのブロック図である。
【図３Ａ】図３Ａ−３Ｃは、種々の態様に従って無線通信システムにおけるパワー制御および干渉管理のためのシステム例の動作を示す。
【図３Ｂ】図３Ａ−３Ｃは、種々の態様に従って無線通信システムにおけるパワー制御および干渉管理のためのシステム例の動作を示す。
【図３Ｃ】図３Ａ−３Ｃは、種々の態様に従って無線通信システムにおけるパワー制御および干渉管理のためのシステム例の動作を示す。
【図４】図４は、無線通信システムにおけるパワー制御および干渉管理のためのリバースリンクフィードバックを提供するための方法のフローダイアグラムである。
【図５】図５は、無線通信システムにおけるリバースリンクパワー制御を行う方法のフローダイアグラムである。
【図６】図６は、無線通信システムにおけるパワー制御および干渉管理のためのリバースリンクフィードバックの生成および送信の方法のフローダイアグラムである。
【図７】図７は、無線通信システムにおけるパワー制御および干渉管理のためのリバースリンクフィードバックに関して、端末に送信パワーを割り当てる方法のフローダイアグラムである。
【図８】図８は、ここで説明された１つまたは複数の実施形態が機能し得る例示の無線通信システムを示すブロック図である。
【図９】図９は、種々の態様に従い無線通信システムにおける干渉制御のためのリバースリンクフィードバックを提供するシステムのブロック図である。
【図１０】図１０は、種々の態様に従い無線通信システムにおけるリバースリンクパワー制御および干渉管理を協調させるシステムのブロック図である。
【図１１】図１１は、無線通信システムにおける、干渉管理のためのリバースリンクフィードバックを容易に行える装置のブロック図である。
【図１２】図１２は、無線通信システムにおける、パワー制御および干渉管理のためのリバースリンクフィードバックの生成および送信を容易に行える装置のブロック図である。
【図１３】図１３は、無線通信システムにおける、リバースリンクパワー制御を容易に行える装置のブロック図である。
【図１４】図１４は、無線通信システムにおけるリバースリンクパワー制御および干渉管理のために、端末への送信電力割当ての準備を容易化する装置のブロック図である。
【発明を実施するための最良の形態】
【００２０】
種々の実施形態を図面を参照して説明する。ここでは、全体にわたって構成要素等を参照するために参照数字等を用いる。以下の明細書には、１つまたは複数の態様の一通りの理解が得られるように、説明を目的として幾多の具体的詳細が記載される。しかしながら、これら具体的詳細が無くとも、かかる実施形態を実施できることは明らかであろう。その他の例において、良く知られた構造および装置については、１つまたは複数の実施形態の説明を容易にするために、ブロック図の形式で示す。
【００２１】
本願明細書で用いるような「コンポーネント」、「モジュール」、「システム」などの用語は、コンピュータ関連の実体、すなわちハードウェア、ファームウェア、ハードウェアとソフトウェアの組み合わせ、ソフトウェアまたは実行中のソフトウェアのいずれかを指すことが意図される。例えば、コンポーネントはプロセッサ上の実行プロセス、プロセッサ、オブジェクト、実行ファイル、実行スレッド、プログラム、および（または）コンピュータであってもよいが、これらに限定されるものではない。実例として、コンピューティング装置上で実行するアプリケーション、およびコンピューティング装置は、ともにコンポーネントとすることができる。１つまたは複数のコンポーネントがプロセスおよび（または）実行スレッド内に存在することができ、あるコンポーネントを１つのコンピュータに配置し、および（または）２台以上のコンピュータに分散配置してもよい。さらに、これらのコンポーネントは、諸データ構造を格納する種々のコンピュータ読取り可能な媒体から実行してもよい。該コンポーネントは、ローカルプロセスおよび（または）リモートプロセスとして、例えば１つまたは複数のデータパケット（例えば、ローカルシステム、分散型システムにおける別のコンポーネントと相互作用するコンポーネントからのデータ、インターネットのようなネットワークを経由する信号を手段として他システムと相互作用するコンポーネントからのデータ）を有する信号に従って通信を行ってもよい。
【００２２】
更にここでは、モバイル装置および（または）基地局に関連して種々の実施形態を説明する。無線端末は、ユーザーに音声および（または）データ接続性を供給する装置のことを指してもよい。無線端末は、ラップトップコンピュータまたはデスクトップコンピューターのようなコンピューティング装置に接続されてもよい。または、それは、携帯情報端末（ＰＤＡ）のような内蔵型の装置であってもよい。無線端末は、システム、加入者ユニット、加入者局、移動局、モバイル、リモート局、アクセスポイント、リモート端末、アクセス端末、ユーザ端末、ユーザエージェント、ユーザ装置またはユーザ機器と称してもよい。無線端末は、加入者局、無線装置、携帯電話機、ＰＣＳ電話、コードレス電話機、セッション設定プロトコル（ＳＩＰ）電話機、ワイヤレスローカルループ（ＷＬＬ）局、携帯情報端末（ＰＤＡ）、無線接続能力を持つハンドヘルド装置または無線モデムに接続された他の制御演算装置であってもよい。基地局（例えばアクセスポイント）が、１つまたは複数のセクタによってエアインターフェース上で無線端末と通信するアクセスネットワーク内の装置のことを指してもよい。基地局は、受信エアインターフェースフレームをＩＰパケットに変換することにより、無線端末と、インターネットプロトコル（ＩＰ）ネットワークを含み得るアクセスネットワークの残余との間のルータとして働いてもよい。基地局は、さらにエアインターフェースのための属性の管理を調整する。
【００２３】
さらにここで説明された種々の態様または特徴は、方法、装置、または標準プログラミングおよび（または）エンジニアリング技術を用いて製品として、実装してもよい。ここでは用いられるような用語「製品（ａｒｔｉｃｌｅ  ｏｆ  ｍａｎｕｆａｃｔｕｒｅ）」とは、任意のコンピュータ可読装置、キャリアまたは媒体からアクセス可能なコンピュータプログラムを包含するように意図される。例えば、コンピュータ読取り可能な媒体は、磁気記憶装置（例えばハードディスク、フロッピー（登録商標）ディスク、磁気ストリップ…）、光ディスク（例えばコンパクトディスク（ＣＤ）（ディジタルバーサタイルディスク（ＤＶＤ）…））、スマートカードおよびフラッシュメモリ装置（例えばカード、スティック、キードライブ…）を含んでもよいが、これらには限定されない。
【００２４】
種々の実施形態は、多くのデバイス、コンポーネント、モジュールなどを含んでもよいシステムの観点で示される。該種々のシステムは、追加装置、コンポーネント、モジュールなど、および（または）装置、コンポーネント、モジュールの必ずしもすべてを含まなくてもよいことを理解され、了解されたい。これらのアプローチの組合せを用いてもよい。
【００２５】
ここで図面を参照すると、図１は種々の態様による無線多元接続通信システム１００の図である。ある例では、無線多元接続通信システム１００は複数の基地局１１０および複数の端末１２０を含んでいる。さらに、１つまたは複数の基地局１１０は１つまたは複数の端末１２０と通信することができる。限定されない例として、基地局１１０は、アクセスポイントであり、ノードＢおよび（または）別の適合するネットワークエンティティーであってもよい。各基地局１１０は特定の地理的なエリア１０２に通信カバレッジを供給する。一般に当該技術分野で用いられ、またここで用いられるように、用語「セル」は基地局１１０および（または）用語が用いられるコンテキストに依存するそのカバレッジエリア１０２のことをいう。
【００２６】
システムキャパシティを向上するために、基地局１１０に対応するカバレッジエリア１０２は、複数のより小さなエリア（例えばエリア１０４ａ、１０４ｂおよび１０４ｃ）に分割することができる。より小さなエリア１０４ａ、１０４ｂおよび１０４ｃの各々を、それぞれのベーストランシーバーサブシステム（図示しないＢＴＳ）がサーブしてもよい。一般に当該技術分野で用いられ、またここで用いられるように、用語「セクタ」は、該用語が用いられるコンテキストに依存し、ＢＴＳおよび（または）そのカバレッジエリアのことであるといえる。ある例では、セル１０２内のセクタ１０４は、基地局１１０においてアンテナのグループ（図示しない）によって形成することができ、各アンテナのグループは、セル１０２の一部における端末１２０との通信を担う。例えば、セル１０２ａをサーブする基地局１１０は、セクタ１０４ａに対応する第一のアンテナグループを持ち、セクタ１０４ｂに対応する第二のアンテナグループを持ち、セクタ１０４ｃに対応する第三のアンテナグループを持ってもよい。また一方、ここに開示された種々の態様は、セクタ化セルおよび（または）非セクタ化セルを持つシステムにおいて用いることができることを理解されたい。さらに、いかなる数のセクタ化セルおよび（または）非セクタ化セルを持つものであっても、適合する無線通信ネットワークはすべて、添付の特許請求の範囲に含まれることが意図される点を理解されたい。単純化のために、ここで用いられる用語「基地局」とは、セルをサーブする局ならびにセクタをサーブする局の両者を指すことができる。さらに、ここでは用語「サービング」アクセスポイントとは、ある端末と通信するものをいい、また、「隣接する」アクセスポイントとは、端末とは通信しないもののことである。以下の説明は、簡単化のために、大まかには各端末が１つのサービングアクセスポイントと通信するシステムに関するものであるが、端末はいかなる数のサービングアクセスポイントとも通信することができることを理解されたい。
【００２７】
ある態様に従って、端末１２０はシステム１００の全体にわたって分散することができる。各端末１２０は固定のものまたはモバイルとすることができる。限定されない例として、端末１２０は、アクセス端末（ＡＴ）、移動局、ユーザ機器、加入者局および（または）別の適合するネットワークエンティティーになりえる。端末１２０は、無線装置、携帯電話、携帯情報端末（ＰＤＡ）、無線モデム、ハンドヘルド装置または別の適合する装置になりえる。さらに、端末１２０は、任意の数の基地局１１０と通信することができ、または任意のある時期では基地局１１０と通信できない。
【００２８】
別の例では、システム１００は、１つまたは複数の基地局１１０につなぐことができ、基地局１１０に調整と制御を供給することができるシステム・コントローラ１３０を用いることにより、集中型のアーキテクチャを利用することができる。代替態様に従って、システム・コントローラ１３０は単一のネットワークエンティティーまたはネットワークエンティティーの集合になりえる。さらに、システム１００は、基地局１１０が必要に応じて互いと通信することを可能にするために分散型アーキテクチャを利用することができる。ある例では、システム・コントローラ１３０は、さらに複数のネットワークへの１つまたは複数の接続を収容することができる。これらのネットワークは、インターネット、他のパケットベースのネットワーク、および（または）システム１００における１つまたは複数の基地局１１０と通信する端末１２０への情報および（または）該端末１２０からの情報を提供できる回線交換音声ネットワークを含んでも良い。別の例では、システム・コントローラ１３０は、端末１２０への送信および（または）同端末１２０からの送信をスケジューリングすることのできるスケジューラを含んでもよく、または同スケジューラに接続されてもよい。あるいは、スケジューラは、各々独立したセル１０２、各セクタ１０４、またはそれらの組み合わせの中に存在してもよい。
【００２９】
ある例では、システム１００は、ＣＤＭＡ、ＴＤＭＡ、ＦＤＭＡ、ＯＦＤＭＡ、シングルキャリアＦＤＭＡ（ＳＣ−ＦＤＭＡ）および（または）他の適合する多元接続スキームのような１つまたは複数の多元接続スキームを利用することができる。ＴＤＭＡは、異なる時間インターバルで送信することにより、異なる端末１２０への送信を互いに直交させる時分割多重化（ＴＤＭ）を利用する。ＦＤＭＡは、異なる周波数キャリアで送信することにより、異なる端末１２０への送信を互いに直交させる周波数分割多重化（ＦＤＭ）を利用する。ある例では、ＴＤＭＡおよびＦＤＭＡシステムは、さらに、複数の端末への送信が同じ時間インターバルまたは周波数サブキャリアで発生する場合であっても、異なる直交符号（例えばウォルシュ符号）を用いてこれらを直交させることのできる符号分割多重化（ＣＤＭ）を用いることもできる。ＯＦＤＭＡは直交周波数分割多重（ＯＦＤＭ）を利用し、ＳＣ−ＦＤＭＡはシングルキャリア周波数分割多重（ＳＣ−ＦＤＭ）を利用する。ＯＦＤＭおよびＳＣ−ＦＤＭは、各々がデータとともに変調され得る複数の直交サブキャリア（例えばトーン、ビン、…）にシステム帯域幅を分配することができる。典型的には、変調シンボルは、ＯＦＤＭで周波数領域に送られ、ＳＣ−ＦＤＭで時間領域に送られる。さらに、および（または）その代わりに、システム帯域幅は、各々が１つまたは複数のサブキャリアを含み得る１つまたは複数の周波数キャリアに分割することもできる。システム１００は、さらにＯＦＤＭＡおよびＣＤＭＡのような多元接続スキームの組合せを利用してもよい。ここでのパワー制御技術は、大まかにＯＦＤＭＡシステムに関して説明するが、当該技術は、任意の無線通信システムに同様に適用することができることを理解されたい。
【００３０】
別の例では、システム１００における、基地局１１０および端末１２０は、１つまたは複数のデータ・チャネル、および１つまたは複数の制御チャネルを用いるシグナリングによってデータを通信することができる。システム１００によって利用されるデータ・チャネルは、各データチャネルが任意のある時刻にただ１つの端末によって用いられるように、アクティブな端末１２０に割り当てられる。あるいは、データ・チャネルは、重畳され得るか一つのデータ・チャネル上直交してスケジューリングされ得る複数の端末１２０に割り当てることができる。システムリソースを節約するために、システム１００によって利用される制御チャネルについても、例えば符号分割多重化を用いて複数の端末１２０間で共有することができる。ある例では、周波数および時間のみに直交多重化されたデータ・チャネル（例えばＣＤＭを用いて多重化されないデータ・チャネル）は、チャネル条件および受信機不完全性に起因する、直交性におけるロスを対応する制御チャネルよりも受けにくくなる。
【００３１】
ある態様に従って、システム１００は、例えばシステム・コントローラ１３０および（または）各基地局１１０に実装された１つまたは複数のスケジューラによって集中化されたスケジューリングを用いることができる。集中化されたスケジューリングを利用するシステムでは、スケジューラは、適合するスケジューリング決定を下すために、端末１２０からのフィードバックに依存することができる。ある例では、このフィードバックは、スケジューラがそのようなフィードバックが受信される端末１２０に関してサポート可能なリバースリンクピークレートを推定し、かつシステムの帯域幅を従って割り付けることを可能にするために、電力増幅器（ＰＡ）ヘッドルームフィードバックを含んでもよい。
【００３２】
別の態様に従って、システム１００が用いることのできるリバースリンク干渉およびリソース制御によれば、最小システム安定性および当該システムのサービス品質（ＱｏＳ）パラメータを保証することができる。例えば、リバースリンク（ＲＬ）確認メッセージのエラー確率をシステム１００が復号することにより、すべてのフォワードリンク送信に関して誤りのフロアを得ることができる。ＲＬの上の厳しい干渉制御を用いることによって、システム１００は、制御およびＱｏＳトラフィックおよび（または）厳格な誤り要件を備えた他のトラフィックのパワー効率的な送信をファシリテイトすることができる。
【００３３】
図２は、ここで開示された種々の態様に従い、無線通信システムにおけるリバースリンクパワー制御および干渉管理を統合するシステム２００のブロック図である。ある例では、システム２００は、サービングセクタ２２０で端末２１０１および１つまたは複数のアンテナ２２４で１つまたは複数のアンテナ２１６１によってフォワードリンクおよびリバースリンクの上のサービングセクタ２２０と通信することができる端末２１０１を含んでいる。サービングセクタ２２０は、基地局（例えば基地局１１０）または基地局でのアンテナグループになりえる。さらに、サービングセクタ２２０は、セル（例えばセル１０２）またはセル（例えばセクタ１０４）内のエリアに関してカバレッジを提供することができる。更に、システム２００は、端末２１０１と通信しない、１つまたは複数の隣接セクタ２３０を含むことができる。隣接セクタ２３０は、１つまたは複数のアンテナ２３４を通じてサービングセクタ２２０によってカバーされたエリアのすべて、一部、または、カバーされないエリアを含み得るそれぞれの地理的なエリアにカバレッジを供給することができる。さらに、システム２００は、アンテナ２１６によってサービングセクタ２２０および（または）１つまたは複数の隣接セクタ２３０と通信し得るいかなる数の追加の端末２１０をも含み得る。
【００３４】
ある態様に従って、端末２１０およびサービングセクタ２２０は、１つまたは複数のパワー制御技術により、サービングセクタ２２０と通信している端末２１０により使用される送信電力量の制御のための通信をすることができる。ある例では、端末２１０は、サービングセクタ２２０への端末で利用可能な送信電力の合計量を報告することができるヘッドルームフィードバックコンポーネント２１２を含むことができる。このレポートは、端末２１０からサービングセクタに、例えば電力増幅器（ＰＡ）ヘッドルームフィードバックおよび（または）フィードバックの別の適切な形式として、伝えることができる。特定の例として、端末２１０によって提供されるＰＡヘッドルームフィードバックは、端末が送信しているパイロットチャネル、名目のパワースペクトル密度（ＰＳＤ）の端末によってサポート可能な最大の帯域幅、および（または）端末によって達成可能な最大のＰＳＤに関するヘッドルームに相当することができる。
【００３５】
サービングセクタ２２０では、その後、パワー制御コンポーネント２２２は、端末２１０に送信電力を割り当てるためにＰＡヘッドルームフィードバックおよび（または）端末２１０からの他のフィードバックを利用することができる。ある例では、サービングセクタ２２０で端末２１０から受信されたＰＡヘッドルームフィードバックは、端末２１０で最大の利用可能な送信電力に相当することができる。従って、サービングセクタ２２０のパワー制御コンポーネント２２２は、割り当てられた送信電力レベルがＰＡヘッドルームフィードバックにおいて示された最大送信電力を超過しないことを保証するために端末２１０からのＰＡヘッドルームフィードバックを利用することができる。パワー制御コンポーネント２２２が送信電力割当てを生成した後、サービングセクタ２２０は端末２１０へ割当てを送信することができる。従って、その後に端末２１０は、該割当てに基づいて、パワー調整コンポーネント２１４によってその送信電力を調整することができる。
【００３６】
別の態様に従って、システム２００における実体によって利用されたパワー制御技術は、さらにシステム２００の中に存在する干渉を考慮に入れることができる。例えば、ＯＦＤＭＡシステムのような多重アクセス無線通信システムにおいて、複数の端末２１０が時刻、周波数および（または）符号領域で互いに直角となるようそれらの送信を多重化することにより、同時にアップリンク送信を行なってもよい。しかし、チャネル条件、受信機不完全性および他の要因により、異なる端末２１０からの送信間の完全な直交性が達成されないことがある。その結果、システム２００における端末２１０は、しばしば共通のセクタ２２０または２３０と通信する、他の端末２１０への干渉を引き起こす。更に、異なるセクタ２２０および（または）２３０と通信する端末２１０からの送信は、典型的には互いに直角ではないことから、各端末２１０が隣接セクタ２２０および（または）２３０と通信する端末２１０への干渉を引き起こす場合もある。その結果、システム２００における端末２１０の性能が、システム２００における他の端末２１０によって引き起こされた干渉により低下することがある。
【００３７】
従って、干渉の許容レベルを保存する間に端末２１０からの送信を正確に復号するためにサービングセクタ２２０に能力を供給するために、システム２００における実体は１つまたは複数の干渉ベースパワー制御アルゴリズムを実行することができる。ある例では、端末２１０１およびサービングセクタ２２０はデルタベースのパワー制御アルゴリズムを実行するために通信することができる。特に、デルタベースのパワー制御アルゴリズムは、チャネル（例えばデータ・チャネル）に関して設計される。ここで、デルタとは相対的なパワースペクトル密度（ＰＳＤ）、または同じようなメトリックのことをいい、チャネル品質フィードバックまたはアクセス／要求チャネルのような固定チャネルに関連のあるオフセットのことである。別の例では、デルタベースのパワー制御アルゴリズムにおいて利用された固定チャネルにはシステム２００の適切な動作を保証するために満たされなければならない最小の復号誤り率目標を持ち得る。デルタベースのパワー制御アルゴリズムが利用されているチャネルのＰＳＤと固定チャネルＰＳＤの間の違いは、消去しきい値、キャリア対干渉比、干渉オフセットおよび（または）他の要因によって調整することができる。
【００３８】
別の態様に従って、ある端末２１０によって引き起こされたセル間干渉の量は、端末２１０、および隣接セクタ２３０に関する端末２１０の位置によって用いられる送信電力レベルによって決定することができる。これに基づいて、パワー制御はシステム２００において、イントラセルおよび相互セル干渉を許容レベル以内に維持しつつ、できるだけ高い電力レベルで各端末２１０の送信を許可するよう実行することができる。例えば、端末が恐らく隣接セクタ２３０へのより少ない干渉を引き起こすので、より高い電力レベルでそのサービングセクタ２２０に接近して位置した端末２１０を送信させてもよい。反対に、端末が隣接セクタ２３０へのより多くの干渉を引き起こすこともあるので、そのサービングセクタ２２０から遠ざけてセクタ端の方へ位置した端末２１０は、より低い送信電力レベルに制限されてもよい。このように送信電力を制御することによって、システム２００は、「資格のある」端末２１０に対しより高いＳＮＲ、ひいてはより高いデータレートを許可しつつ、セクタ２２０および（または）２３０によって観測された全体の干渉を減らすことができる。
【００３９】
図３Ａ−３Ｃは、種々の態様に従って無線通信システムにおけるパワー制御および干渉管理のためのシステム例３００の動作を示すブロック図である。システム２００と似た方法で、システム３００は、それぞれのアンテナ３１６および３２４によってフォワードリンクおよびリバースリンク上のサービングセクタ３２０と通信する端末３１０を含むことができる。システム３００はさらに１つまたは複数の隣接セクタ（例えば隣接セクタ２３０）を含むことができ、端末３１０によって引き起こされた干渉によって影響される最多の可能性がある支配的な干渉セクタ３３０を含んでいる。これは、例えば、端末３１０に対して最も接近している隣接セクタであることによる。
【００４０】
ある態様に従って、端末３１０によって利用された送信電力レベルを制御するために、端末３１０はサービングセクタ３２０と通信することができる。ある例では、端末３１０およびサービングセクタ３２０によって利用されたパワー制御技術は、サービングセクタ３２０および（または）支配的な干渉セクタ３３０のような他のセクタで端末３１０によって引き起こされた干渉のあるレベルに基づくことができる。特に、端末３１０は、サービングセクタ３２０および（または）端末３１０が干渉値を計算することができる支配的な干渉セクタ３３０に関してチャネル品質パラメータを決定することができる。その後、干渉値は、どのサービングセクタ３２０が端末３１０用に送信電力レベルを割り当てることができるかに基づいて、リバースリンク上のＰＡヘッドルームフィードバックと共にサービングセクタに伝えられても良い。端末３１０およびサービングセクタ３２０によって用いられたパワー制御技術において要因として干渉を利用することによって、かかる技術は、干渉を考慮に入れない同じような技術よりシステム３００におけるより多くの最適な全体性能を容易にすることができる。
【００４１】
別の態様に従って、干渉ベースパワー制御は実体の全体性能をそこに増加させるために種々の技術を用いて、システム３００において実行することができる。かかる技術では、データ・チャネルに関して送信電力スペクトル密度（すなわち別のチャネルに基づいた電力オフセットがある別の適切なチャネル）（ＰＳＤ）は、ある端末３１０用に以下のように表現することができる：
【数１】
2010503338.tif 000003
【００４２】
ここで、Ｐｄｃｈ（ｎ）は、更新インターバルｎのためのデータ・チャネルに関して送信ＰＳＤである。Ｐｒｅｆ（ｎ）は更新インターバルｎのための参照ＰＳＤレベルである。また、ΔＰ（ｎ）は更新インターバルｎのための送信ＰＳＤデルタである。ＰＳＤレベルＰｄｃｈ（ｎ）およびＰｒｅｆ（ｎ）、および送信電力デルタΔＰ（ｎ）は、他の単位を利用することもできるが、デシベル（ｄＢ／Ｈｚ）単位で与えられる。さらに、等式（１）から与えられたそれ以外の計算を利用することができることは認識されるべきである。ある例では、参照ＰＳＤレベルＰｒｅｆ（ｎ）は、指定の送信に関して目標信号対雑音比（ＳＮＲ）または消去レートを達成するために必要とされる送信ＰＳＤの量に相当する。その送信は、例えばチャネル品質フィードバックチャネルまたは要求チャネルのような固定チャネルによって提供することができる。基準パワーレベルが対応する目標ＳＮＲまたは消去レートを達成することができる場合、別のチャネルに関して受信ＳＮＲは以下のように推定されてもよい。
【数２】
2010503338.tif 000004
【００４３】
ある例では、システム３００における実体によって利用されたデータ・チャネルおよび対応する制御チャネルには同じような干渉統計がありえる。例えば、異なるセクタからの制御およびデータ・チャネルが互いに干渉する場合、これが生じる場合がある。かかる場合では、チャネルに関して相殺された干渉は、端末３１０で計算されてもよい。代わりに、１つまたは複数のセクタ３２０および（または）３３０は、制御チャネルとデータ・チャネルの間で相殺された干渉をブロードキャストすることができる。
【００４４】
別の例では、データ・チャネルに関して送信ＰＳＤは、例えば、隣接するセクタ（例えばセクタ１０４）内の他の端末へターミナルの３１０が潜在的にもたらしているセクタ間干渉の量、ターミナルの３１０が同じセクタにおいて他の端末へ潜在的にもたらしている、イントラセクタ干渉の量、端末３１０のための最大の許容送信電力レベル、および（または）他の要因に基づいてセットすることができる。これらの要因は、図３Ａ−Ｃによって示されたパワー制御技術に関してより詳細に以下に説明される。
【００４５】
図３Ａを参照すると、システム３００におけるセクタ３２０および３３０から端末３１０への初期のフォワードリンク通信および、干渉ベースパワー制御アルゴリズムのための通信に基づいた端末３１０でなされた測定が示される。ある態様に従って、端末３１０は、データおよび（または）フォワードリンク上のサービングセクタ３２０からのシグナリングを受信することができる。ある例では、サービングセクタ３２０から受信されたシグナリングは、リバースリンク上の端末３１０からサービングセクタ３２０までのチャネル品質の指標を含んでいる。さらに、および（または）代わりに、端末３１０は、データ、パイロットに基づいたフォワードリンクチャネル品質、および（または）フォワードリンク上のサービングセクタ３２０によって送られた他のシグナリングを得ることができる。
【００４６】
別の態様に従って、支配的な干渉セクタ３３０は１つまたは複数のアンテナ３３４によってフォワードリンク上の端末３１０へ干渉指標および（または）他のシグナリングを送信することができる。支配的な干渉セクタ３３０によって送信された干渉指標は、支配的な干渉セクタ３３０で存在するリバースリンク干渉の指標を含むことができる。さらに、および（または）代わりに、端末３１０は、指標に基づいた支配的な干渉セクタ３３０および（または）そこから受信された他のシグナリングに関するフォワードリンクチャネル品質を得ることができる。チャネル品質および（または）端末３１０によって受信された干渉情報に基づいて、サービングセクタ３２０と支配的な干渉セクタ３３０の間のチャネルで異なる品質は、端末３１０によって決定され、さらなるパワー制御計算に利用することができる。
【００４７】
別の例では、端末３１０によってサービングセクタ３２０および（または）支配的な干渉セクタ３３０から得られたチャネル品質情報は、アクセスポイントのカバレッジエリアに対応するアクセスポイントからの経路損失情報を含むことができる。経路損失情報は、端末３１０、アクセスポイントからのリバースリンク経路損失フィードバックおよび（または）他の適合するソースでフォワードリンクパイロット測定から導き出すことができる。例えば、アクセスポイントからのフォワードリンクパイロット品質指標チャネル（ＰＱＩＣＨ）は、経路損失情報のソースとして端末３１０によって用いることができる。
【００４８】
端末３１０は、サービングセクタ３２０および（または）支配的な干渉セクタ３３０から受信した情報を利用することができ、種々の態様で引き起こしているセクタ間干渉端末３１０の量が潜在的にあることを決定する。ある例では、端末３１０によって引き起こされたセクタ間干渉の量は、直接、システム３００において支配的な干渉セクタ３３０および（または）他の隣接アクセスポイント（例えば隣接セクタ２３０）によって推定することができる。これら、直接推定された値は端末３１０がその送信電力を従って調整することを可能にするために端末３１０へ送ることができる。
【００４９】
代わりに、端末３１０によって引き起こされたセクタ間干渉の量は荒く、支配的な干渉セクタ３２０および（または）隣接アクセスポイントによって観測された全体の干渉、サービングセクタ３２０、支配的な干渉セクタ３３０および（または）隣接アクセスポイントのためのチャネル利得、端末３１０によって用いられる送信電力レベルに基づいて推定することができる。ある例では、システム３００におけるアクセスポイントは、該アクセスポイントによって観測された合計または現在観測された干渉量の平均を推定することができる。その後、アクセスポイントは、他のセクタ内の端末による使用のため、これらの干渉計測をブロードキャストすることができる。限定されない例として、単一の他セクタ干渉（ＯＳＩ）ビットは干渉情報を提供するために各アクセスポイントによって用いることができる。従って、各アクセスポイントは以下のようにそのＯＳＩビット（ＯＳＩＢ）をセットしてもよい：
【数３】
2010503338.tif 000005
【００５０】
ただし、ＩＯＴｍｅａｎｓ and ｍ（ｎ）は時間インターバルｎでｍ−ｔｈセクタに関して測定された熱に関する干渉（ＩＯＴ）値であり、ＩＯＴｔａｒｇｅｔ（ｎ）は当該セクタにとって望ましい動作点である。等式（３）において用いられるとおり、ＩＯＴはアクセスポイントによって観測された合計の干渉電力と熱雑音電力との比のことをいう。これに基づいて、当該システムについて特定の動作点が選ばれ、ＩＯＴｔａｒｇｅｔ（ｎ）として示すことができる。ある例では、ＯＳＩは複数のレベルに量子化し、従って、マルチビットを含むことができる。例えば、ＯＳＩ指標はＩＯＴＭＩＮとＩＯＴＭＡＸのように、２つのレベルを持つことができる、観測されたＩＯＴがＩＯＴＭＩＮとＩＯＴＭＡＸの間にある場合、端末３１０での送信電力の調整はなされず、観測されたＩＯＴがある数レベル以上、またはそのレベル以下である場合、送信電力は上方または下方に調整されるべきである。
【００５１】
ある態様に従って、端末３１０は、端末からリバースリンク送信を受信してもよいアクセスポイントのためのチャネル利得または伝搬路利得を推定することができる。アクセスポイントの各々のためのチャネル利得はフォワードリンク上のアクセスポイントから受け入れられたパイロットの処理により推定することができる。ある例では、支配的な干渉セクタ３３０のような、サービングセクタ３２０と隣接アクセスポイントの間のチャネル利得比は、サービングセクタ３２０への距離に関する支配的な干渉セクタ３３０への距離を示す「相対的な距離」として利用することができる。端末３１０がサービングセクタ３２０に対応するセクタ端に近づき、一般に、端末３１０としての増加がサービングセクタ３２０に接近して移動するとともに、隣接アクセスポイントに関してチャネル利得比が一般に減少することが言われるかもしれない。
【００５２】
一旦端末３１０がチャネル品質および（または）図３Ａによって示されるような干渉情報を得れば、端末３１０はシステム３００における種々の実体によって経験された干渉に基づいた最大の許容送信電力を計算し、図３Ｂにおいて示されるようなサービングセクタ３２０にこの値を通信することができる。ある例では、端末３１０は、端末３１０および（または）干渉端末３１０のＰＡヘッドルームに基づいた最大の許容送信電力値の計算に関してヘッドルーム計算コンポーネント３１８を含むことができ、システム３００においてアクセスポイントで引き起こしている。ある特定の限定されない例において、ヘッドルーム計算コンポーネント３１８は、サービングセクタ３２０および図３Ａによって示されるような支配的な干渉セクタ３３０から得られたチャネル品質の相違、および隣接するセクタで端末３１０が干渉ベース最大の許容送信電力を決定させる場合がある目標干渉レベルを利用することができる。ヘッドルーム計算コンポーネント３１８が端末３１０のコンポーネントとして図３Ｂにおいて示されているが、サービングセクタ３２０および（または）別の適切なネットワークエンティティーが端末３１０と無関係に、またはその端末と協力してヘッドルーム計算コンポーネント３１８によって実行された計算のうちのいくつかまたはすべてをさらに実行することができることが認識されるべきである。ヘッドルーム計算コンポーネント３１８によって利用された目標干渉レベルは、例えばシステム３００（例えば所定のｄＢ上昇）の熱雑音電力に関する所定の上昇、セクタで観測された干渉レベル上の所定の上昇または複数のシステム熱雑音電力になりえる。さらに、目標干渉レベルは、あらかじめ端末３１０、サービングセクタ３２０および（または）システム３００における別の実体によって構成するかダイナミックにセットすることができる。別の例では、サービングセクタ３２０のロード、サービングセクタ３２０と支配的な干渉セクタ３３０の間の観測されたチャネル品質差、サービングセクタ３２０から受信された干渉情報、支配的な干渉セクタ３３０、および（または）システム３００における他のアクセスポイント、サービングセクタ３２０と端末３１０の間で送信されるコンテンツ型（例えば音声、映像、通信するデータなど）および干渉に対するコンテンツ型および（または）他の要因の感度に基づいて、ヘッドルーム計算コンポーネント３１８によって実行される計算はダイナミックになりえる。
【００５３】
ある態様に従って、ヘッドルーム計算コンポーネント３１８は、システム３００における隣接アクセスポイントによってブロードキャストされたＯＳＩビットを監視することができ、支配的な干渉セクタ３３０のＯＳＩビットのみに応答するよう構成することができる、隣接アクセスポイントの中で最も小さなチャネル利得比を持つことができる。ある例では、支配的な干渉セクタ３３０のＯＳＩビットが例えば「１」にセットされ、名目のセクタ間干渉よりも高いものをアクセスポイントが観察する場合、ヘッドルーム計算コンポーネント３１８は、端末３１０の最大の許容送信電力を下方へ調整することができる。反対に、支配的な干渉セクタ３３０のＯＳＩビットが「０」にセットされる場合、ヘッドルーム計算コンポーネント３１８は、端末３１０の最大の許容送信電力を上方に調整することができる。こうして、支配的な干渉セクタ３３０からのＯＳＩビットは、ヘッドルーム計算コンポーネント３１８が端末３１０の送信電力を調整する方向を決定することができる。その後、ヘッドルーム計算コンポーネント３１８は、現在の送信電力レベルおよび（または）端末３１０のための送信電力デルタに基づく端末３１０のための送信電力調整の大きさ、支配的な干渉セクタ３３０のためのチャネル利得比、および（または）他の要因を決定することができる。また、ヘッドルーム計算コンポーネント３１８は、複数のアクセスポイントからのＯＳＩビットを利用することができ、複数の受信ＯＳＩビットに基づいて、端末３１０の最大の許容送信電力を調整するために種々のアルゴリズムを利用することができる。
【００５４】
別の態様に従って、システム３００において各セクタによって利用されたデータ・チャネルは、それらが互いに直交するよう多重化することができる。ところが、かかる多重化にもかかわらず、キャリア間干渉（ＩＣＩ）、シンボル間干渉（ＩＳＩ）および（または）他の原因から、直交性のロスがいくぶん生じる場合がある。イントラセクタ干渉を緩和するように、端末３１０の送信ＰＳＤは、端末３１０が同じセクタにおいて他の端末にもたらし得るイントラセクタ干渉の量が許容レベル内に維持されるよう、ヘッドルーム計算コンポーネント３１８によって制御されてもよい。例えば、これは送信ＰＳＤデルタすなわちΔＰ（ｎ）を、対応する範囲ΔＰ（ｎ）∈［ΔＰｍｉｎ，ΔＰｍａｘ］内に抑制することによって達成してもよい。ここで、ΔＰｍｉｎおよびΔＰｍａｘは、それぞれあるデータ・チャネルについて許容可能な最小および最大の送信ＰＳＤデルタである。
【００５５】
別の態様に従って、端末３１０は、ヘッドルーム計算コンポーネント３１８によって計算された送信ＰＳＤデルタおよび現在の送信ＰＳＤデルタすなわちＮｓｂ,ｍａｘ（ｎ）で端末３１０がサポートすることができるサブバンドの最大値、をサービングセクタ３２０に送ることができるヘッドルームフィードバックコンポーネント３１２を含むことができる。更に、望ましいサービス品質（ＱｏＳ）およびバッファサイズパラメータについても、ヘッドルームフィードバックコンポーネント３１２によってサービングセクタ３２０に送信することができる。要求されたシグナリングの量を減らすために、ヘッドルームフィードバックコンポーネント３１２は、データ・チャネル上の、および（または）他の手段による帯域内送信によって更新インターバルのサブセットでΔＰ（ｎ）およびＮｓｂ，ｍａｘ（ｎ）を送信することができる。端末３１０に対応する低い送信ＰＳＤデルタは、端末３１０が利用可能なリソースのすべてを用いているとは限らないことを意味しないことが理解されるべきである。代わりに、端末３１０はその利用可能な送信電力をすべて用いるために送信に関してより多くのサブバンドを与えることができる。
【００５６】
ある例では、ＰＡヘッドルームは、パイロット送信電力と端末３１０で利用可能な合計の電力の比として、ヘッドルーム計算コンポーネント３１８によって計算することができる。また、ヘッドルーム計算コンポーネント３１８は最大の帯域幅パラメータとしてＰＡヘッドルームを計算することができ、それは、名目の送信ＰＳＤに対応するサービングセクタ３２０から受信されたオーバーヘッドパラメータによってセットすることができる。かかる例において、ヘッドルーム情報はヘッドルームフィードバックコンポーネント３１２によってサービングセクタ３２０に提供される最大の帯域幅フィードバックに組み入れることができる、デルタベースのパワー制御アルゴリズムから得られたるデルタセッティングと電力の合計との比としてヘッドルーム計算コンポーネント３１８によって計算することができる。更に、端末３１０およびサービングセクタ３２０によって利用された、ＰＳＤ制約または相対的なチャネル／干渉フィードバックに対し類似情報を組み入れることができる。例えば、システム３００によって利用されたデルタベースのパワー制御アルゴリズム内のデルタセッティングは、ユーザーごとの最大の干渉目標を反映するように修正することができる。
【００５７】
ヘッドルームフィードバックコンポーネント３１２は、様々な方法でサービングセクタ３２０に対し、干渉情報と組み合わせたＰＡヘッドルームフィードバックを行なうことができる。例えば、かかる情報は、制御チャネルパケットのようなパケットのメディアアクセス制御（ＭＡＣ）ヘッダーにより、干渉またはパワー制御フィードバックのためのチャネルのような分離した物理チャネルにおいて、チャネル状態情報フィードバック（例えばチャネル状態情報の１つまたは複数のビットとしての）の一部として、および（または）他の適合する手段によりサービングセクタ３２０に提供することができる。
【００５８】
その後、図３Ｂに示されるように端末３１０によってサービングセクタ３２０に提供されるフィードバックに基づいて、サービングセクタ３２０は、端末３１０のための送信電力割当てを生成し、図３Ｃに示されるようにこの割当てを端末３１０に伝えることができる。ある例では、端末３１０のための送信電力は、サービングセクタ３２０のパワー制御コンポーネント３２２によって割り当てることができる。パワー制御コンポーネント３２２は、端末３１０のための送信電力割当ての生成で使用される図３Ｂにおいて示されるような端末３１０からＰＡヘッドルームフィードバック、干渉ベース最大の許容送信電力のような干渉ベースパラメータおよび（または）他のパラメータを受信することができる。パワー制御コンポーネント３２２によって利用されるパラメータは、共通の通信として、または分離した通信によってともに受信され得る。
【００５９】
ある態様に従って、パワー制御コンポーネント３２２は、端末３１０によりサービングセクタ３２０との通信のために用いられる送信電力を決定することができる。さらに、一例として、パワー制御コンポーネント３２２は、その送信電力割当てを決定する際に端末３１０から受信された干渉ベースパラメータを守るべきかどうか選択的に決定することができる。例えば、パワー制御コンポーネント３２２はトラフィックサービス品質（ＱｏＳ）および（または）他のパラメータを分析し、端末３１０によって提供される干渉ベース最大送信電力よりも高い送信電力が、端末３１０に割り当てられるべきかどうかをそのＰＡヘッドルームフィードバックによって提供される端末３１０の送信電力能力に応じて決定することができる。その後、パワー制御コンポーネント３２２は、端末３１０により高い送信電力を割り当てることができる。一度、送信電力割当てはパワー制御コンポーネント３２２によって決定されると、該割当ては端末３１０に伝えられ、これにより端末３１０は、パワー調整コンポーネント３１４によってその送信電力を調整することができる。
【００６０】
ある具体例において、パワー制御コンポーネント３２２は、参照ＰＳＤレベルΔＰｒｅｆ（ｎ）、リバースリンクチャネル品質指標および（または）要求チャネル上で端末３１０から受信された信号の電力、および（または）他の要因に基づいて、ΔＰ（ｎ）および（または）端末３１０のための送信電力割当ての生成に関して利用される他のパラメータを計算することができる。かかる例において、（ＩＯＴ−ＲｏＴ）に対する値と同様に、キャリア対干渉オフセットを決定することができる。その後、これらの値は、信号の電力、リバースリンクチャネル品質指標および（または）端末３１０からのチャネル要求を相殺するために用いることができ、パワー制御コマンドとして端末３１０に送り戻される。
【００６１】
別の例では、システム３００の帯域幅上で受信された合計干渉電力は、干渉制御メトリックとしてパワー制御コンポーネント３２２により用いることができる。合計干渉電力は、ユーザーについての干渉目標の最大を決定するために用いることができ、ＲＬ送信のために端末３１０を帯域幅、タイミングおよび（または）他のパラメータの点でスケジューリングするのに用いることができる。該ユーザーについての干渉目標は、例えば、干渉脆弱なデプロイメント(deployment)のシステムにとって、合計干渉電力がごく少量となるようにセットすることができる。限定されない例として、かかる目標は、デプロイメント内のセル端の上の個々の端末が、５または１０ＭＨｚの帯域幅上のセルを埋めるのに十分な電力を持ち得るマイクロセルデプロイメントにおいて利用することができる。更に、かかる目標は大きなＩｏＴ変動に影響され得る著しく低いレイテンシーを持つトラフィックの通信に関して用いられるセルに関連して利用することができる。
【００６２】
図４−７を参照すると、無線通信システムにおける電力および干渉制御のための方法が示される。説明の簡単化のために、方法を一連のアクトとして示すが、該方法はアクトの数または順序で限定的ではなく、いくつかのアクトが、一つまたは複数の実施形態に従い、ここで示され説明される他のアクトとは異なる順序で生じ、および（または）同時に生じてもよいことが理解され、了解されるであろう。例えば、当業者は、一連の相互関係があった状態または状態遷移図においてのようにイベントとして二者択一で方法を表わすことができるかもしれないと理解し認識する。さらに、示されたアクトの必ずしも全てが、１つまたは複数の実施形態に従って方法を実装するために要求されるとは限らない。
【００６３】
図４を参照すると、無線通信システム（例えばシステム３００）におけるパワー制御および干渉管理のためのリバースリンクフィードバックを提供するための方法４００が示される。例えば、方法４００は、端末（例えば端末３１０）および（または）他の適合するネットワークエンティティーによって実行することができることが理解されるべきである。方法４００はブロック４０２で始まり、アクセスポイント（例えばサービングセクタ３２０）との通信のためのＰＡヘッドルームおよび干渉の合計値が決定される。
【００６４】
ある態様に従って、ブロック４０２で決定された値のＰＡヘッドルーム部分は、方法４００を実行する実体が送信しているパイロットチャネルに関してのヘッドルーム、名目のＰＳＤ値に基づいた最大の利用可能な帯域幅、方法４００を実行する実体によって達成可能な最大のＰＳＤ、および（または）他の適合するパラメータとして計算することができる。ブロック４０２で決定された値のＰＡヘッドルーム部分は、干渉ベース電力値と組み合わせてもよく、チャネル品質および（または）サービングアクセスポイント（例えばサービングセクタ３２０）から受信された干渉情報および（または）システムにおける隣接アクセスポイント（例えば支配的な干渉セクタ３３０および（または）他の隣接アクセスポイント）に基づいて決定することができる。ある例では、干渉ベース電力値はパイロットおよび（または）サービングアクセスポイントおよび（または）隣接アクセスポイントからの他の受信した情報から得られたフォワードリンク経路損失情報に基づいて、ブロック４０２で決定することができる。また、該値は、アクセスポイントからリバースリンク経路損失および（または）チャネル品質フィードバックに基づいて計算することができる。別の例では、干渉ベース電力値も隣接アクセスポイントから得られたＯＳＩ情報に基づいてブロック４０２で決定することができる。例えば、高い干渉の指標が受信される場合、電力は上方へ調整することができ、低い干渉の指標が受信される場合、下方へ調整することができる。
【００６５】
ブロック４０２で説明されたアクトを終えると、方法４００はブロック４０４に継続し、ブロック４０２で決定された合計値がアクセスポイントへ送信される。ブロック４０４の送信は様々な方法で遂行することができる。例えば、ブロック４０２で決定された合計値は、パケットのＭＡＣヘッダ内のアクセスポイントへ送信することができ、専用チャンネル上で送信することもでき、および（または）チャネル状態情報フィードバックと組み合わせてもよい。さらに、ブロック４０２で決定された合計値は、システムで観測された干渉に依存しないＰＡヘッドルームフィードバックと一緒に、これとは別々に、またはこれの代わりに、アクセスポイントへ送信することができる。
【００６６】
図６は、無線通信システムにおけるリバースリンクパワー制御を行う方法５００のフローダイアグラムである。方法５００は、例えばアクセスポイント（例えばサービングセクタ３２０）および（または）任意の他の適合するネットワークエンティティーによって実行することができることが理解されるべきである。方法５００はブロック５０２で始まり、ＰＡヘッドルームおよび干渉の合計値がアクセス端末（例えば端末３１０）から受信される。ある例では、ブロック５０２で受信された合計値は、アクセス端末がアクセス端末によって引き起こされた干渉を許容レベル内に維持しつつ送信をすることができる最大の電力レベルに相当することができる。さらに、および（または）代わりに、ブロック５０２で受信された合計値は、アクセス端末が隣接のアクセスポイントでの干渉を受容可能な量にしつつ、サポートすることができる最大の帯域幅に相当することができる。別の例では、合計値は、干渉を考慮に入れないアクセス端末からのＰＡヘッドルームパラメータとともに受信され、これとは分離され、またはその代わりとしてもよい。
【００６７】
次に、方法５００はブロック５０４に移り、ブロック５０２で受信された合計値に基づいて、アクセス端末のための送信電力が割り当てられる。ある例では、送信電力は、最大送信電力および（または）ブロック５０２でアクセス端末から受信された対応する帯域幅パラメータを超過しないように、ブロック５０４でアクセス端末に割り当てることができる。また、干渉に基づかないＰＡヘッドルームパラメータについてもブロック５０２で受信される場合、サービス品質および（または）他のパラメータをブロック５０４で分析することができる。この分析に基づいて、守るべきであるか、それともブロック５０２で受信された合計値を廃棄し、その代りにアクセス端末に割り当てることができる最大送信電力として非干渉ベースＰＡヘッドルームパラメータを用いるかどうかについてブロック５０４で決定することができる。
【００６８】
図６は、無線通信システムにおけるパワー制御および干渉管理のためのリバースリンクフィードバックの生成および送信の方法６００のフローダイアグラムである。方法６００は例えば端末および（または）無線通信システムにおいて他の適合するネットワークエンティティーによって実行することができることが理解されるべきである。方法６００はブロック６０２で始まり、チャネル品質および（または）干渉パラメータがサービングセクタおよび支配的な干渉セクタから得られる。ある例では、チャネル品質および（または）干渉パラメータは、フォワードリンクに関して、パイロットおよび（または）該フォワードリンク上のサービングセクタおよび支配的な干渉セクタから受信した他の情報を分析することにより、ブロック６０２で得ることができる。さらに、および（または）代わりに、チャネル品質および（または）ブロック６０２で得られた干渉パラメータは、セクタによって送信されたリバースリンクチャネル品質および干渉フィードバックを含むことができる。次に、ブロック６０４では、目標干渉レベルが決定される。ブロック６０４で決定される目標干渉レベルは、例えば、熱雑音電力に関する所定の上昇、セクタで観測された干渉レベルに関する所定の上昇、複数のシステム熱雑音電力および（または）別の適合する目標としてもよい。さらに、目標干渉レベルは、ネットワーク条件、通信されるデータの型および（または）他の要因における変動に基づいて、ブロック６０４で動的に決定することができる。
【００６９】
ブロック６０２で得られた情報およびブロック６０４で決定された目標干渉レベルに基づいて、最大の許容送信電力がブロック６０６で計算される。ある例では、６０６で計算される最大の許容送信電力は、最大送信電力を決定することおよび（または）正当な範囲内で隣接するセクタにおいて方法６００を実行する実体によって引き起こされた干渉の量を抑制する、対応する帯域幅によって計算することができる。ひとたび干渉ベースで最大の許容送信電力がブロック６０６で計算されると方法６００はブロック６０８で終了し、干渉ベース送信電力がＰＡヘッドルームフィードバックとともにサービングセクタに送信される。方法４００のブロック４０４で実行された送信と同様に、ブロック６０６で計算された干渉ベース送信電力は、パケットのＭＡＣヘッダでサービングセクタに対し、専用チャンネルで送信することができ、および（または）チャネル状態情報フィードバックと組み合わせてもよい。さらに、干渉ベース送信電力はブロック６０８での送信に先立ちＰＡヘッドルームフィードバックと組み合わせてもよく、あるいは、干渉ベース送信電力およびＰＡヘッドルームフィードバックを分離したパラメータとして送信してもよい。
【００７０】
図７は、無線通信システムにおけるパワー制御および干渉管理のためのリバースリンクフィードバックに関して、端末に送信パワーを割り当てる方法７００のフローダイアグラムである。方法７００は例えばアクセスポイントおよび（または）無線通信システムにおける任意の他の適合するネットワークエンティティーによって実行することができることが理解されるべきである。方法７００はブロック７０２で始まり、端末から、ＰＡヘッドルームフィードバックおよび干渉ベースで最大の許容送信電力を受信する。ＰＡヘッドルームフィードバックおよび干渉ベース値はブロック７０２で一緒に、または分離したパラメータとして受信することができる。さらに、該パラメータは、パケットのＭＡＣヘッダでブロック７０２において受信することができる。また、それらは、専用チャンネル上で受信することができ、および（または）端末からチャネル状態情報フィードバックと組み合わせてもよい。
【００７１】
ブロック７０２でＰＡヘッドルームフィードバックおよび干渉ベース値を受信すると、方法７００はブロック７０４に移ることができ、該干渉ベース値を守るべきかどうかを決定する。ある例では、ブロック７０２で受信されたＰＡヘッドルームフィードバックは、端末が利用できる最大送信電力に相当する一方、該干渉ベース値は、端末によって引き起こされた干渉を目標干渉レベル内の維持しつつ端末によって利用することができる最大送信電力に相当する。従って、ブロック７０４でのこの決定は、該端末のサービス品質パラメータ、および（または）当該システム内で干渉が生じるにもかかわらず、干渉ベース値によって提供されるものより高い電力で送信することを端末に要求するのが有益かどうかを決定するための他の適合するパラメータの分析を含むことができる。
【００７２】
干渉ベース値を守るべき旨がブロック７０４で決定された場合、方法７００はブロック７０６に移り、ＰＡヘッドルームフィードバックおよび干渉ベース値に基づいて端末に送信電力を割り当てる。一方、干渉ベース値を廃棄する旨がブロック７０４で決定された場合、方法７００はブロック７０８に移り、ＰＡヘッドルームフィードバック単独に基づいて端末用に送信電力を割り当てる。両者の場合において、その後、方法７００はブロック７１０で終了する。ブロック７０６またはブロック７０８で割り当てられた送信電力は端末へ伝えられ、送信電力を調整できるようになる。
【００７３】
図８は、ここで説明された１つまたは複数の実施形態が機能し得る例示の無線通信システム８００を示すブロック図である。ある例では、システム８００は、送信機システム８１０および受信機システム８５０を含む多入力多出力（ＭＩＭＯ）システムである。しかし、送信機システム８１０および（または）受信機システム８５０は、例えば、（例えば基地局上の）複数の送信アンテナが単一のアンテナ装置（例えば移動局）に１つまたは複数のシンボルストリームを送信する多入力単出力システムに適用してもよいことが理解されるべきである。また、ここで説明された送信機システム８１０および（または）受信機システム８５０の態様を多出力単入力アンテナシステムに利用してもよいことが理解されるべきである。
【００７４】
ある態様に従って、多数のデータストリームのためのトラフィックデータが、送信機システム８１０においてデータソース８１２から送信（ＴＸ）データプロセッサ８１４に提供される。次に、ある例では、各データストリームはそれぞれの送信アンテナ８２４によって送信することができる。また、ＴＸデータプロセッサ８１４は、符号化データを提供する目的で各データストリームについて選ばれた特定の符号化スキームに基づいて、各データストリームのトラフィックデータをフォーマットし、符号化し、およびインタリーブすることができる。ある例では、各データストリームの符号化データは、ＯＦＤＭ技術を用いてパイロットデータに多重化されてもよい。パイロットデータは、例えば、既知の態様で処理される既知データパターンとしてもよい。さらに、チャネル応答を推定するためにパイロットデータを受信機システム８５０で用いてもよい。送信機システム８１０に戻り、各データストリームについての多重パイロットおよび符号化データは、変調シンボルを提供するために個々のそれぞれのデータストリームについて選ばれた、特定の変調スキーム（例えばＢＰＳＫ、ＱＳＰＫ、Ｍ−ＰＳＫまたはＭ−ＱＡＭ）に基づいて、変調（つまりシンボルマッピングされる）することができる。ある例では、各データストリームのデータレート、符号化および変調は、プロセッサ８３０により実行され、および（または）提供される命令により決定してもよい。
【００７５】
次に、すべてのデータストリームについての変調シンボルがＴＸ  ＭＩＭＯプロセッサ９２０に提供される。それはさらに（例えばＯＦＤＭの）変調シンボルを処理してもよい。その後、ＴＸ  ＭＩＭＯプロセッサ８２０はＮＴ個のトランシーバー（ＴＭＴＲ）８２２ａ乃至８２２ｔに対し、ＮＴ個の変調シンボルストリームを供給する。ある例では、各送信機８２２は、１つまたは複数のアナログ信号を提供するためにそれぞれのシンボルストリームを受信して処理することができる。次に、各送信機８２２は、該アナログ信号を整え（例えば、増幅し、フィルターし、アップコンバートする）、ＭＩＭＯチャネル上の送信に適するよう変調された信号を提供する。従って、送信機８２２ａ乃至８２２ｔにより、ＮＴ個の変調された信号が、それぞれＮＴ個のアンテナ８２４ａ乃至８２４ｔによって送信することができる。
【００７６】
別の態様に従って、送信された変調された信号は、アンテナ８５２ｒ乃至ＮＲ８５２ａによって受信機システム８５０で受信することができる。その後、各アンテナ８５２からの受信信号はそれぞれの受信機（ＲＣＶＲ）８５４に提供することができる。ある例において、レシーバー８５は、それぞれの受信信号を整え（例えば、フィルターし、増幅し、ダウンコンバートする）、該整えられた信号をディジタル化してサンプルを提供し、さらに該サンプルを処理して「受信した」シンボルストリームを提供する。その後、ＲＸ  ＭＩＭＯ／データプロセッサ８６０は、特定の受信機処理技術に基づいて、ＮＲレシーバー８５４からのＮＲ受信シンボルストリームを受け取って処理し、ＮＴ個の「検出された」シンボルストリームを供給する。ある例では、検出された各シンボルストリームは、対応するデータストリームについて送信された変調シンボルの推定であるシンボルを含むことができる。次にＲＸプロセッサ８６０は、復調、デインターリーブ、および該当データストリームのトラフィックデータを回復するための各検出されたシンボルストリームの復号により、各シンボルストリームの少なくとも一部分を処理することができる。ＲＸデータプロセッサ８１８による処理は、送信機システム８１０のＴＸデータプロセッサ８１４およびＴＸ  ＭＩＭＯプロセッサ８２０によって実行されたものと相補的である。
【００７７】
ある態様に従って、ＲＸプロセッサ８６０によって生成されたチャネル応答推定は、受信機での空間／時間処理の実行、電力レベルの調整、変調レートまたは変調スキームの変更、および（または）他の適合するアクションnに使用されてもよい。さらに、ＲＸプロセッサ８６０は、例えば、該検出されたシンボルストリームの信号対雑音および干渉比（ＳＮＲ）のようなチャネル特性を推定してもよい。その後、ＲＸプロセッサ８６０はプロセッサ８７０に推定されたチャネル特性を供給することができる。ある例では、ＲＸプロセッサ８６０および（または）プロセッサ８７０は、当該システムについて「動作している」ＳＮＲの推定を得ることができる。その後、プロセッサ８７０はチャネル状態情報（ＣＳＩ）を提供することができ、これは、通信リンクおよび（または）受信データストリームに関する情報を含んでもよい。この情報は例えば、動作ＳＮＲを含んでいてもよい。その後、ＣＳＩはＴＸデータプロセッサ８７８によって処理され、変調器８８０によって変調され、送信機８５４ａ乃至８５４ｒによって整えられ、送信機システム８１０に送り戻される。
【００７８】
送信機システム８１０に戻ると、受信機システム８５０からの変調された信号は、アンテナ９２４によって受信され、レシーバー８２２によって整えられ、復調器８４０によって復調され、受信機システム８５０によって報告されたＣＳＩを回復するためにＲＸデータプロセッサ８４２によって処理される。その後、ある例では、報告されたＣＳＩは、プロセッサ８３０に提供され、１つまたは複数のデータストリームに用いられる符号化し変調スキームと同様に、データレートを決定するために用いることができる。その後、決定した符号化し変調スキームは、量子化および（または）受信機システム８５０への後の送信で使用するために送信機８２２に提供することができる。さらにかつまたは代わりに、ＴＸデータプロセッサ８１４およびＴＸ  ＭＩＭＯプロセッサ８２０のための種々の制御を生成するために、報告されたＣＳＩは、プロセッサ８３０によって用いることができる。
【００７９】
ある例では、送信機システム８１０のプロセッサ８３０および受信機システム８５０のプロセッサ８７０は、それぞれのシステムに動作を指令する。さらに、送信機システム８１０のメモリ８３２および受信機システム８５０のメモリ８７２は、プロセッサ８３０および８７０によって用いられるプログラムコードとデータにストレージをそれぞれ供給することができる。さらに、受信機システム８５０では、各種処理技術はＮＴの送信シンボルストリームを検出するＮＲ受信信号を処理するために用いられてもよい。これらの受信機処理技術は空間と地空受信機処理技術を含むことができ、これを等化技術、および（または）「連続干渉キャンセレイション」または「連続キャンセレイション」受信機処理技術とも称される「連続ヌリング／等化および干渉キャンセレイション」受信機処理技術と称しても良い。
【００８０】
図９は、ここで説明された種々の態様に従い無線通信システムにおける干渉制御のためのリバースリンクフィードバックを提供するシステム９００のブロック図である。ある例では、システム９００はアクセス端末９０２を含んでいる。図示のように、アクセス端末９０２は１つまたは複数のアクセスポイント９０４から信号を受信し、アンテナ９０８によって１つまたは複数のアクセスポイント９０４へ送信することができる。
【００８１】
またアクセス端末９０２は、受信アンテナ９０８から情報を得る受信機９１０を含むことができる。ある例では、受信機９１０は、受信された情報を復調する復調器（Ｄｅｍｏｄ）９１２に動作可能なように接続されてもよい。復調されたシンボルは、プロセッサ９１４によって分析することができる。プロセッサ９１４は、データおよび（または）アクセス端末９０２に関係するプログラムコードを格納できるメモリ９１６に接続することができる。さらに、アクセス端末９０２は、方法４００、６００および（または）他の適合する方法を実行するためにプロセッサ９１４を用いることができる。アクセス端末９０２は、さらに１つまたは複数のアクセスポイント９０４へのアンテナ９０８によって送信機９２０による送信に関して信号を多重化することができる変調器９１８を含むことができる。
【００８２】
図１０は、ここで説明された種々の態様に従い無線通信システムにおけるリバースリンクパワー制御および干渉管理を協調させるシステム１０００のブロック図である。ある例では、システム１０００は基地局またはアクセスポイントの１００２を含んでいる。図示のように、アクセスポイント１００２は受信（Ｒｘ）アンテナ１００６によって１つまたは複数のアクセス端末１００４から信号を受信し、送信（Ｔｘ）アンテナ１００８によって１つまたは複数のアクセス端末１００４に送信することができる。
【００８３】
さらに、アクセスポイント１００２は、受信アンテナ１００６から情報を得る受信機１０１０を含むことができる。ある例では、受信機１０１０は、受信された情報を復調する復調器（Ｄｅｍｏｄ）１０１２に動作可能なように関連付けられていても良い。復調されたシンボルは、プロセッサ１０１４によって分析することができる。プロセッサ１０１４はメモリ１０１６に接続することができ、符号クラスタ、アクセス端末割当て、それに関連するルックアップテーブル、ユニークなスクランブリングシーケンスおよび（または）他の適合する型の情報に関係する情報を格納することができる。ある例では、アクセスポイント１００２は、方法５００、７００および（または）他の適合する方法を実行するプロセッサ１０１４を用いることができる。アクセスポイント１００２は、さらに１つまたは複数のアクセス端末１００４への送信アンテナ１００８によって送信機１０２０による送信に関して信号を多重化することができる変調器１０１８を含んでもよい。
【００８４】
図１１は、無線通信システムにおける（例えばシステム３００）干渉管理のためのリバースリンクフィードバックを容易にする装置１１００を示す。装置１１００は、プロセッサ、ソフトウェアまたはそれらの組み合わせ（例えばファームウェア）によって実装された機能を表わす機能ブロックを含んでいるものとして表わされることが理解されるべきである。装置１１００は端末（例えば端末３１０）および（または）別の適切なネットワークエンティティーで実装することができ、ＰＡヘッドルームおよび干渉の合計値１１０２の決定のためのモジュールを含むことができる。さらに、装置１１００はアクセスポイント１１０４へ合計値を送信するためのモジュールを含むことができる。
【００８５】
図１２は、無線通信システムにおけるパワー制御および干渉管理のためのリバースリンクフィードバックの生成および送信を容易にする装置１２００を示す。装置１２００は、プロセッサ、ソフトウェアまたはそれらの組み合わせ（例えばファームウェア）によって実装された機能を表わす機能ブロックを含んでいるものとして表わされることが理解されるべきである。装置１２００は端末および（または）別の適切なネットワークエンティティーで実装することができ、サービングセクタおよび（または）他のセクタ１２０２からチャネル品質と干渉パラメータを得るためのモジュールを含むことができる。さらに、装置１２００は、目標干渉レベル１２０４を決定するためのモジュール、チャネル品質と干渉パラメータからの最大送信電力および目標干渉レベル１２０６を計算するためのモジュール、およびサービングセクタ１２０６に最大送信電力およびＰＡヘッドルームフィードバックを送信するためのモジュールを含むことができる。
【００８６】
図１３は、無線通信システムにおける、リバースリンクパワー制御を容易に行える装置１３００のブロック図である。装置１３００は、プロセッサ、ソフトウェアまたはそれらの組み合わせ（例えばファームウェア）によって実装された機能を表わす機能ブロックを含んでいるものとして表わされることが理解されるべきである。装置１３００はアクセスポイント（例えばサービングセクタ３２０）および（または）無線通信システムにおける別の適切なネットワークエンティティーで実装することができ、アクセス端末１３０２からＰＡヘッドルームおよび干渉の合計値を受信するためのモジュールを含むことができる。さらに、装置１３００は、合計値１３０４に基づいた送信電力割当ての生成のためのモジュールを含むことができる。
【００８７】
図１４は、無線通信システムにおけるリバースリンクパワー制御および干渉管理のために、端末への送信電力割当ての準備を容易化する装置１４００のブロック図である。装置１４００は、プロセッサ、ソフトウェアまたはそれらの組み合わせ（例えばファームウェア）によって実装された機能を表わす機能ブロックを含むものとして表わされることが理解されるべきである。装置１４００はアクセスポイントおよび（または）無線通信システムにおける別の適切なネットワークエンティティーで実装することができ、端末１４０２からＰＡヘッドルームフィードバックおよび干渉ベース最大送信電力を受信するためのモジュールを含むことができる。さらに、装置１４００は、ＰＡヘッドルームフィードバックおよび（または）干渉ベース最大送信電力１４０４に基づいた端末用に送信電力を割り当てるためのモジュールを含むことができる。また端末１４０６へ割り当てられた送信電力を伝えるためのモジュールを含むことができる。
【００８８】
ここに説明された実施形態は、ハードウェア、ソフトウェア、ファームウェア、ミドルウェア、マイクロコードまたは任意のそれらの組み合わせによって実装することが理解される。システムおよび（または）方法がソフトウェア、ファームウェア、ミドルウェアまたはマイクロコード（プログラムコードまたは命令セグメント）で実装される場合、それらはストレージコンポーネントのような機械可読媒体に格納することができる。命令セグメントはプロシージャ、関数、サブプログラム、プログラム、ルーチン、サブルーチン、モジュール、ソフトウェアパッケージ、クラス、または命令とデータ構造とプログラム文の任意の組合せを表わすことができる。命令セグメントは、情報、すなわちデータ、引数、パラメータ、あるいはメモリコンテンツを渡し、および（または）受け取ることにより、別の命令セグメントまたはハードウェア回路に連結することができる。情報、引数、パラメータ、データ等は、メモリ共有、メッセージパッシング、トークンパッシング、ネットワーク送信などを含む何らかの適切な手段を用いて渡し、フォワードし、または送信してもよい。
【００８９】
ソフトウェア実装については、ここに説明された技術は、ここに説明された機能を実行するモジュール（例えばプロシージャ、関数など）に実装することができる。ソフトウェアコードは記憶装置に格納し、プロセッサによって実行することができる。記憶装置はプロセッサ内に実装してもよいし、プロセッサ外部のものとしてもよい。その場合には、当該技術分野において知られる種々の手段によりプロセッサに対して通信可能に結合してもよい。
【００９０】
以上説明した事項は、１つまたは複数の態様の例を含んでいる。当然ながら、前述の実施形態を説明する目的のために、コンポーネントまたはメソドロジの考えられる組合せをすべて説明することはできない。しかし、当業者であれば、多くのさらなる組合せおよび種々の実施形態の置換が可能であることを認識することができる。従って、説明された実施形態は、添付の特許請求の精神および範囲に含まれる変更、修正および変形のすべてを包含することが意図される。さらに、用語「含む（ｉｎｃｌｕｄｅ）」が詳細な説明またはクレームのいずれかで用いられる限りにおいて、この用語は、クレームで遷移語として使用され、「具備する（ｃｏｍｐｒｉｓｉｎｇ）」が解釈される場合の用語「具備する」と同様に、包括的であることが意図されている。更に、詳細な説明またはクレームのいずれかで用いられるような用語「または（ｏｒ）」は、「排他的ではない、または」を意味する。
【図１】
2010503338.tif 000006
【図２】
2010503338.tif 000007
【図３Ａ】
2010503338.tif 000008
【図３Ｂ】
2010503338.tif 000009
【図３Ｃ】
2010503338.tif 000010
【図４】
2010503338.tif 000011
【図５】
2010503338.tif 000012
【図６】
2010503338.tif 000013
【図７】
2010503338.tif 000014
【図８】
2010503338.tif 000015
【図９】
2010503338.tif 000016
【図１０】
2010503338.tif 000017
【図１１】
2010503338.tif 000018
【図１２】
2010503338.tif 000019
【図１３】
2010503338.tif 000020
【図１４】
2010503338.tif 000021
【国際調査報告】
2010503338.tif 000022
2010503338.tif 000023
2010503338.tif 000024
2010503338.tif 000025